(57)【要約】【課題】収納空間の壁面で多量の結露が生じることを抑える。【解決手段】実施例の冷蔵庫は、野菜室を有する断熱性の箱体と、前記野菜室内に設けられたものであって全方向から壁で囲まれた収納空間を有する野菜ケースと、前記野菜ケースに設けられたものであって前記収納空間を前記野菜室内に開放する開口部と、前記開口部の開放量を調整する調整部材を備えている。【選択図】図２
2017032247.tif 000002
【特許請求の範囲】
【請求項１】
野菜室を有する断熱性の箱体と、
前記野菜室内に設けられたものであって、全方向から壁で囲まれた収納空間を有する野菜ケースと、
前記野菜ケースに設けられたものであって、前記収納空間を前記野菜室内に開放する開口部と、
前記開口部の開放量を調整する調整部材を備えた冷蔵庫。
【請求項２】
前記野菜室に湿度保持部材を備えた請求項１に記載の冷蔵庫。
【請求項３】
前記調整部材は、前記野菜ケースにスライド可能に装着されたスライド部材からなる請求項１または２に記載の冷蔵庫。
【発明の詳細な説明】
【技術分野】
【０００１】
実施例は冷蔵庫に関する。
【背景技術】
【０００２】
冷蔵庫には野菜室を有するものがある。この野菜室は野菜を冷蔵保存するのに適した冷蔵温度帯域にコントロールされるものであり、野菜室内には野菜ケースが収納されている。この野菜ケースは収納空間を有している。この収納空間は全方向から壁で囲まれることに応じて密閉度が高められたものであり、湿気を内部に閉じ込めることで野菜を新鮮な状態に保つ。
【先行技術文献】
【特許文献】
【０００３】
【特許文献１】特開平８−３０３９３６号公報
【特許文献２】特開２００９−１７４７２５号公報
【発明の概要】
【発明が解決しようとする課題】
【０００４】
従来の冷蔵庫の場合には収納空間内の空気が野菜ケース外の冷気で冷却されることに応じて収納空間の壁面で多量の結露が生じる。
【課題を解決するための手段】
【０００５】
実施例の冷蔵庫は、野菜室を有する断熱性の箱体と、前記野菜室内に設けられたものであって全方向から壁で囲まれた収納空間を有する野菜ケースと、前記野菜ケースに設けられたものであって前記収納空間を前記野菜室内に開放する開口部と、前記開口部の開放量を調整する調整部材を備えたものである。
【図面の簡単な説明】
【０００６】
【図１】実施例１を示す図（野菜室を示す断面図）
【図２】（ａ）は下野菜ケースおよび上野菜ケースを示す断面図、（ｂ）はＸｂ部を拡大して示す図
【図３】実施例２を示す図２の（ａ）相当図
【図４】実施例３を示す図２の（ａ）相当図
【図５】実施例４を示す図２の（ａ）相当図
【図６】実施例５を示す図２の（ａ）相当図
【発明を実施するための形態】
【実施例１】
【０００７】
図１のキャビネット１は外箱および内箱間に断熱材を介在してなるものであり、縦長な直方体形状をなしている。このキャビネット１は前面が開口するものであり、キャビネット１内には冷蔵室２が形成されている。このキャビネット１には冷蔵室２の前に位置してＲドア３が装着されており、冷蔵室２の前面はＲドア３が操作されることに応じて開閉される。このキャビネット１は箱体に相当する。
【０００８】
キャビネット１内には、図１に示すように、冷蔵室２の下に位置して野菜室４が形成されている。この野菜室４は冷蔵室２内に通じるものであり、キャビネット１には野菜室４の前に位置してＶドア５が装着されている。このＶドア５は閉鎖状態および閉鎖状態に比べて前の開放状態間で前後方向へ直線的に移動可能にされたものであり、野菜室４の前面はＶドア５の閉鎖状態で気密状態に閉鎖され、Ｖドア５の開放状態で開放される。
【０００９】
キャビネット１の後壁には、図１に示すように、ダクトカバー６が固定されている。このダクトカバー６は冷蔵室２内および野菜室４内を前後方向へ跨ぐ縦長なものであり、キャビネット１の後壁とダクトカバー６との間には冷気ダクト７が形成されている。このダクトカバー６には吸込み口８およびＲ吹出し口が形成されている。吸込み口８は冷気ダクト７の下端部に位置するものであり、野菜室４内に配置されている。Ｒ吹出し口は冷気ダクト７の上端部に位置するものであり、冷蔵室２内に配置されている。
【００１０】
冷気ダクト７内には、図１に示すように、ファン装置９が固定されている。このファン装置９はファンモータの回転軸にファンを連結してなるものであり、ファン装置９の運転状態では野菜室４内の空気が吸込み口８から冷気ダクト７内に進入する。この空気は冷気ダクト７内を上昇した後にＲ吹出し口から冷蔵室２内に吐出され、冷蔵室２内に吐出された後に冷蔵室２内から野菜室４内に進入する。この冷気ダクト７内には冷凍サイクルのエバポレータ１０が固定されている。このエバポレータ１０は野菜室４内に配置されたものであり、ファン装置９からの空気を冷却することで冷蔵室２用および野菜室４用の冷気を生成する。
【００１１】
ダクトカバー６には、図１に示すように、ダンパ１１が軸１２を中心に回転可能に装着されている。このダンパ１１は電気的なアクチュエータに連結されたものであり、アクチュエータはダンパ１１を回転操作することに応じて垂直な閉鎖状態（二点鎖線参照）および上から下に向けて後へ傾斜する開放状態（実線参照）間で切換える。
【００１２】
ダクトカバー６には、図１に示すように、Ｖ吹出し口１３が形成されている。このＶ吹出し口１３は野菜室４内に開口するものであり、ダンパ１１は開放状態でＲ吹出し口を閉鎖し且つＶ吹出し口１３を開放する。このダンパ１１は閉鎖状態でＶ吹出し口１３を閉鎖し且つＲ吹出し口を開放するものであり、ダンパ１１の閉鎖状態では冷気がＲ吹出し口から冷蔵室２内に吐出され、ダンパ１１の開放状態では冷気がＶ吹出し口１３から野菜室４内に吐出される。
【００１３】
Ｖドア５には、図１に示すように、有色不透明な下野菜ケース１４が装着されている。この下野菜ケース１４は上面が開口する四角容器状をなすものであり、図２に示すように、前板１５と後板１６と底板１７と左側板１８と右側板１９（図１参照）を有している。この下野菜ケース１４は野菜ケースに相当するものであり、Ｖドア５の開放状態で野菜室４内から前へ引出される。この下野菜ケース１４は、図１に示すように、Ｖドア５の閉鎖状態で野菜室４内に収納されるものであり、ダンパ１１の開放状態でＶ吹出し口１３から冷気が吹付けられる。
【００１４】
下野菜ケース１４の底板１７には、図２に示すように、突部２０が形成されている。この突部２０は底板１７から上へ突出するものであり、下野菜ケース１４の前後方向の中央部に比べて前に配置されている。この突部２０には垂直な仕切板２１が着脱可能に装着されている。この仕切板２１は透明な合成樹脂またはガラスを材料とするものであり、仕切板２１には貫通孔状の開口部２２が形成されている。
【００１５】
下野菜ケース１４内には、図２に示すように、前室２３および後室２４が形成されている。前室２３は仕切板２１に比べて前の上面が開口する空間を称するものであり、前室２３内にはペットボトルが縦向きに収納される。後室２４は仕切板２１に比べて後の上面が開口する空間を称するものである。この後室２４は前室２３に比べて内容積が大きく設定されたものであり、後室２４内には野菜が収納される。
【００１６】
下野菜ケース１４には、図２に示すように、上野菜ケース２５が装着されている。この上野菜ケース２５は上面が開口する四角容器状をなすものであり、上野菜ケース２５内には野菜が収納される。この上野菜ケース２５は下野菜ケース１４の上に載せられた載置状態および下野菜ケース１４の上から取外された取外し状態間で操作可能にされたものであり、載置状態で前室２３および後室２４のそれぞれの上面を閉鎖する。
【００１７】
下野菜ケース１４の前室２３および後室２４は、図２に示すように、収納空間３４に相当するものであり、収納空間３４は上野菜ケース２５の載置状態で前と後と左と右と上と下の全方向から壁で囲われることに応じて密閉度が高められる。この上野菜ケース２５は透明な合成樹脂を材料とするものであり、前室２３内および後室２４内のそれぞれは上野菜ケース２５の載置状態で上から上野菜ケース２５を通して視認可能にされている。
【００１８】
野菜室４内には、図１に示すように、イオン発生器２６が固定されている。このイオン発生器２６は放電現象を利用してナノメータサイズのアクティブイオンを生成するものであり、冷蔵室２内および野菜室４内の空気中に浮遊する細菌およびカビ菌等の有害物質をアクティブイオンによって分解する。
【００１９】
下野菜ケース１４には、図２に示すように、左側板１８および右側板１９のそれぞれに位置してイオンフィルタ２７が固定されている。これら両イオンフィルタ２７のそれぞれはイオン発生器２６からのアクティブイオンを下野菜ケース１４内に取込むためのものであり、下野菜ケース１４外のアクティブイオンが通過可能で下野菜ケース１４内の冷気が通過不能な複数の細孔を有している。
【００２０】
下野菜ケース１４には、図２に示すように、調湿器２８が装着されている。この調湿器２８は上野菜ケース２５の載置状態での下野菜ケース１４の密閉度を調整するものであり、次のように構成されている。
【００２１】
下野菜ケース１４の前板１５には、図２に示すように、貫通孔状の開口部２９が形成されている。この開口部２９は野菜室４内から下野菜ケース１４内に冷気を取込むためのものであり、野菜室４内に冷気を吹出すＶ吹出し口１３に対向しない部分に配置されている。この開口部２９は下野菜ケース１４の周囲を冷気が流れることで下野菜ケース１４内が極力間接的に冷却される位置に配置されたものであり、下野菜ケース１４の前板１５には前室２３内に位置してポケット３０が形成されている。このポケット３０は前板１５から後へ突出するものであり、前板１５に後から隙間を介して対向している。このポケット３０は縦長な溝部３１を有するものであり、ポケット３０および前板１５間の隙間には垂直な平板状のシャッター３２が挿入されている。このシャッター３２は前板１５およびポケット３０に沿って上下方向へ移動可能にされたものであり、外力が作用していない状態では前板１５およびポケット３０に対する摩擦力で静止する。このシャッター３２は調整部材およびスライド部材に相当する。
【００２２】
シャッター３２には、図２に示すように、摘み３３が形成されている。この摘み３３はシャッター３２から後へ突出するものであり、ポケット３０の溝部３１内に挿入されている。この摘み３３は上野菜ケース２５の取外し状態で操作可能に露出するものであり、溝部３１の内面に下から接触した上限位置（実線参照）および溝部３１の内面に上から接触した下限位置（二点鎖線参照）間で操作可能にされている。
【００２３】
シャッター３２は、図２に示すように、摘み３３の上限位置で開口部２９を後から完全に閉鎖する閉鎖位置に摩擦力で静止するものであり、摘み３３の下限位置では開口部２９を完全に開放する開放位置に摩擦力で静止する。このシャッター３２は閉鎖位置から開放位置へ移動する途中で摘み３３の操作が停止されることに応じて現在位置に摩擦力で静止するものであり、開放位置から閉鎖位置へ移動する途中で摘み３３の操作が停止された場合にも現在位置に摩擦力で静止する。即ち、シャッター３２は閉鎖位置および開放位置間で無段階に静止可能にされたものであり、使用者は摘み３３を手指で操作することに応じて開口部２９の開放度を０％以上で１００％以下の範囲内で無段階に調整できる。
【００２４】
上記実施例１によれば次の効果を奏する。
シャッター３２をスライド操作することに応じて開口部２９の開放度を調整可能としたので、使用者が上野菜ケース２５の内面で多量の結露が生じていることを目で確認した場合にはシャッター３２を現在位置から下降操作することに応じて開口部２９の開放度を高め、野菜室４内から下野菜ケース１４内に進入する冷気の量を増やすことができる。このため、下野菜ケース１４の密閉度が高いにも拘らず下野菜ケース１４の内部および外部間の温度差が小さくなるので、上野菜ケース２５の下面で結露が生じることを抑えることができる。従って、下野菜ケース１４内の野菜に結露水がかかることで野菜が傷むこと、上野菜ケース２５の見栄えが結露水の影響で悪化することを抑えることができる。
【００２５】
下野菜ケース１４の前板１５に調湿器２８を装着したので、Ｖドア５の開放状態で調湿器２８が野菜室４内から前へ突出する。従って、野菜室４内に手を挿入することなく野菜室４外で調湿器２８を分解して清掃することができるので、調湿器２８の清掃作業が簡単になる。
【００２６】
上記実施例１においては、下野菜ケース１４の左側板１７または右側板１８に調湿器２８を装着しても良い。この場合には調湿器２８をＶドア５の開放状態で野菜室４内から前へ突出する部分（例えば前室２３内）に配置することが好ましい。また、野菜室４内に冷気を吹出す吹出し口からの冷気が調湿器２８を通して下野菜ケース１４内に直接的に進入することなく、下野菜ケース１４の周囲を流れて下野菜ケース１４内が間接的に冷却される部分に配置することが好ましい。
【００２７】
上記実施例１においては、イオン発生器２６として静電霧化現象を利用してアクティブイオン（ラジカルを有する帯電微粒子水）を生成するものを利用しても良い。
【実施例２】
【００２８】
下野菜ケース１４には、図３に示すように、透明な合成樹脂製の上野菜ケース４１が装着されている。この上野菜ケース４１は下野菜ケース１４の上に載せられた載置状態および下野菜ケース１４の上から取外された取外し状態間で操作可能にされたものであり、載置状態で後室２４の上面を閉鎖することに応じて後室２４の密閉度を高める。この後室２４は上野菜ケース４１の載置状態で前と後と左と右と上と下の全方向が壁で囲われるものであり、収納空間に相当する。
【００２９】
上野菜ケース４１は野菜が収納されるものであり、図３に示すように、底板４２を有している。この底板４２は前から後に向けて下降傾斜するものであり、底板４２の下面で結露が生じた場合には結露水が底板４２の下面に沿って前から後へ流れる。この底板４２は結露水除去手段および結露水移動手段に相当する。
【００３０】
上野菜ケース４１の底板４２には、図３に示すように、後端部に位置して複数の突部４３が形成されている。これら複数の突部４３のそれぞれは底板４２から下へ突出するものであり、結露水は突部４３に到達することに応じて突部４３の表面に沿って上から下へ流れる。これら複数の突部４３のそれぞれは上から下に向けて直径寸法が小さくなるものであり、結露水は突部４３の表面に沿って下降した後に突部４３の下端から後室２４内の後端部に落下する。この突部４３は結露水除去手段に相当する。
【００３１】
下野菜ケース１４の後板１６には、図３に示すように、貫通孔状の開口部４４が形成されており、開口部４４は放熱プレート４５によって塞がれている。この放熱プレート４５は下野菜ケース１４に比べて熱伝導率が高いアルミニウムを材料とするものであり、後室２４内の冷却を促進する。この放熱プレート４５には複数の調湿孔４６が形成されている。これら複数の調湿孔４６は湿気が通過不能で空気が通過可能なものであり、後室２４内に湿気を残したまま野菜室４内から冷気を取込む。
【００３２】
野菜室４内の天井部には投光器が固定されている。この投光器は上から下へ青色光を照射する複数の青色ＬＥＤを有するものであり、投光器から投射された光は上野菜ケース４１の底板４２を通して下野菜ケース１４の後室２４内に進入する。この後室２４の内面には可視光応答型の光触媒層が形成されている。この光触媒層は投光器から光が照射されることに応じて活性化するものであり、活性化することに応じてエチレン等を分解して野菜の鮮度低下を抑制する。
【００３３】
仕切板２１には、図３に示すように、調湿器２８が装着されている。この調湿器２８は後室２４の密閉度を調整するものであり、次のように構成されている。仕切板２１にはポケット３０が形成されている。このポケット３０は仕切板２１から前へ突出するものであり、ポケット３０および仕切板２１間にはシャッター３２が上下方向へ移動可能に挿入されている。
【００３４】
シャッター３２の摘み３３は、図３に示すように、ポケット３０の溝部３１内に挿入されており、摘み３３の上限位置ではシャッター３２が仕切板２１の開口部２２を前から完全に閉鎖する閉鎖位置に摩擦力で静止し、摘み３３の下限位置ではシャッター３２が開口部２２を完全に開放する開放位置に摩擦力で静止する。この摘み３３はＶドア５の開放状態で操作可能に露出するものであり、使用者はＶドア５の開放状態で前室２３内を通して摘み３３を手指で操作することに応じて開口部２２の開放度を０％以上で１００％以下の範囲内で無段階に調整できる。
【００３５】
上記実施例２によれば次の効果を奏する。
使用者が上野菜ケース４１の下面で多量の結露が生じていることを目で確認した場合にはシャッター３２を現在位置から下降操作することに応じて開口部２２の開放度を高め、野菜室４内から下野菜ケース１４の後室２４内に進入する冷気の量を増やすことができる。このため、後室２４の密閉度が高いにも拘らず後室２４の内部および外部間の温度差が小さくなるので、上野菜ケース４１の下面で結露が生じることを抑えることができる。従って、後室２４内の野菜に結露水がかかることで野菜が傷むこと、上野菜ケース４１の見栄えが結露水の影響で悪化することを抑えることができる。
【００３６】
上野菜ケース４１の底板４２を下降傾斜させたので、底板４２の下面で結露が生じた場合に結露水を底板４２の傾斜に沿って流すことができる。従って、結露水を底板４２のうち使用者から目立たない後端部に集めることができるので、上野菜ケース４１の見栄えが結露水の影響で悪化することを抑えることができる。
【００３７】
上野菜ケース４１の底板４２に突部４３を設けたので、結露水を突部４３の表面に沿って落下させることができる。しかも、突部４３を底板４２の後端部に配置したので、突部４３から落下する結露水が下野菜ケース１４内の野菜にかかることを極力抑えることができる。
【００３８】
上記実施例２においては、下野菜ケース１４の一部または全部に投光器からの青色光が透過可能な透明部材を設ける等することで光透過手段としても良い。
【実施例３】
【００３９】
下野菜ケース１４の左側板１７および右側板１８のそれぞれには、図４に示すように、貫通孔状の開口部５１が形成されており、後室２４内は両開口部５１を通して野菜室４内に開放されている。
【００４０】
仕切板２１の開口部２２内には、図４に示すように、調湿フィルタ５２が装着されている。この調湿フィルタ５２は湿気が通過不能で空気が通過可能な複数の細孔を有するものであり、開口部２２内に装着された装着状態および開口部２２内から取外された取外し状態間で操作可能にされている。この調湿フィルタ５２は湿度保持部材に相当するものであり、調湿フィルタ５２の装着状態では摘み３３が操作されることに応じて調湿フィルタ５２の開放度が０％以上で１００％以下の範囲内で無段階に調整される。
【００４１】
上記実施例３によれば次の効果を奏する。
仕切板２１の開口部２２内に調湿フィルタ５２を装着したので、下野菜ケース１４の後室２４内から湿気が逃げ出すことを抑えることができる。しかも、野菜室４内から後室２４内に冷気が進入することが許容されるので、後室２４内を高湿度に維持したまま上野菜ケース４１の下面に多量の結露水が付着することを抑えることができる。
【００４２】
調湿フィルタ５２を仕切板２１の開口部２２内に対して着脱可能としたので、調湿フィルタ５２を仕切板２１の開口部２２内から取外した後に清掃して仕切板２１の開口部２２内に再び装着することができる。しかも、Ｖドア５の開放状態で調湿フィルタ５２が野菜室４内から前へ突出するので、調湿フィルタ５２を取外した後に清掃して装着する一連の作業が簡単になる。
【００４３】
上記実施例１においては、下野菜ケース１４の前板１５の開口部２９内および仕切板２１の開口部２２内の一方または双方に調湿フィルタ５２を着脱可能に装着しても良い。
上記実施例２においては、下野菜ケース１４の仕切板２１の開口部２２内に調湿フィルタ５２を着脱可能に装着しても良い。
【実施例４】
【００４４】
下野菜ケース１４には、図５に示すように、後室２４内に位置して湿度センサ６１が固定されている。この湿度センサ６１は後室２４内の湿度の高さに応じたレベルの湿度信号を出力するものであり、制御回路に電気的に接続されている。この制御回路はＣＰＵとＲＯＭとＲＡＭを有するものであり、湿度センサ６１からの湿度信号に応じて後室２４内の湿度を検出する湿度検知手段に相当する。
【００４５】
下野菜ケース１４内にはパルスモータが固定されており、パルスモータの回転軸は直動機構を介してシャッター３２に機械的に連結されている。このパルスモータはシャッター３２を上昇操作および下降操作するものであり、制御回路は湿度の検出結果に応じてパルスモータを駆動制御することに応じてシャッター３２を開放位置および閉鎖位置間で位置制御し、シャッター３２を位置制御することに応じて調湿フィルタ５２の開放度を無段階にコントロールする。具体的には結露が多く発生する所定の湿度を検出した場合に調湿フィルタ５２の開放度を現在値に比べて高める、あるいは、調湿フィルタ５２を完全な開放状態とする。
【００４６】
上記実施例４によれば次の効果を奏する。
下野菜ケース１４の後室２４内の湿度を検出し、湿度の検出結果に応じて調湿フィルタ５２の開放度をコントロールした。従って、上野菜ケース４１の下面で多量の結露が生じる高湿状態では調湿フィルタ５２の開放度が現在値に比べて高められることで後室２４内に対する冷気の進入量が高められるので、上野菜ケース４１の下面で多量の結露が生じることを自動的に抑えることができる。
【００４７】
上記実施例３および４においては、下野菜ケース１４の左側板１７および右側板１８の一方または双方から開口部５１を廃止しても良い。
上記実施例２〜４においては、下野菜ケース１４の左側板１７および右側板１８の一方または双方うち後室２３に対応する部分に調湿器２８を装着しても良い。この場合には摘み３３を後室２４の外側に向けて突出させると良い。
【００４８】
上記実施例２〜４においては、上野菜ケース４１の底板４２を左または右に向けて下降傾斜させても良い。この場合には突部４３を底板４２のうち下降方向の端部に配置することで突部４３からの結露水を下野菜ケース１４内の端部に落下させ、下野菜ケース１４内の野菜が結露水で濡れることを防止することが好ましい。
【００４９】
上記実施例２〜４においては、下野菜ケース１４内の底面の結露水を下野菜ケース１４外へ排水する排水部となる位置に開口部を設けても良い。
【実施例５】
【００５０】
上野菜ケース４１の底板４２には、図６に示すように、調湿器２８が装着されている。この調湿器２８は上野菜ケース４１の載置状態での後室２４の密閉度を調整するものであり、次のように構成されている。
【００５１】
上野菜ケース４１の底板４２には、図６に示すように、貫通孔状の開口部７１が形成されており、開口部７１内には調湿フィルタ５２が着脱可能に装着されている。この底板４２は水平なものであり、底板４２にはポケット３０が形成されている。このポケット３０は底板４２から上へ突出するものであり、ポケット３０および底板４２間にはシャッター３２が前後方向へ移動可能に挿入されている。
【００５２】
シャッター３２の摘み３３は、図６に示すように、ポケット３０の溝部３１内に挿入されている。この摘み３３はポケット３０から上へ突出するものであり、溝部３１の内面に後から接触した前進位置および溝部３１の内面に前から接触した後退位置間で移動可能にされている。この摘み３３の前進位置ではシャッター３２が調湿フィルタ５２を上から完全に閉鎖する閉鎖位置に摩擦力で静止し、摘み３３の後退位置ではシャッター３２が調湿フィルタ５２を完全に開放する開放位置に摩擦力で静止する。この摘み３３はＶドア５の開放状態で操作可能に露出するものであり、使用者はＶドア５の開放状態で摘み３３を手指で操作することに応じて調湿フィルタ５２の開放度を０％以上で１００％以下の範囲内で無段階に調整できる。
【００５３】
上記実施例５によれば次の効果を奏する。
上野菜ケース４１の底板４２にシャッター３２および調湿フィルタ５２を設け、シャッター３２の摘み３３を操作することに応じて調湿フィルタ５２の開放度を調整した。従って、使用者が手指を前室２３内に挿入して摘み３３を操作する必要がなくなるので、摘み３３の操作性が向上する。
【００５４】
上記実施例１〜５においては、ポケット３０に複数の目盛を記しても良い。これら複数の目盛は摘み３３の停止位置を使用者に教示するものであり、例えば結露水の付着量を「１」から「５」の５段階で記すことが好ましい。この場合には使用者が結露水の付着量を目で確認し、複数の目盛のうち付着量の確認結果に応じた１つに摘み３３を合わせる。
【００５５】
上記実施例１〜５においては、下野菜ケース１４の底板１７に複数のリブを設けても良い。これら複数のリブは底板１７から上へ突出するものであり、隣接するリブ間には溝が形成されている。これら複数のリブは野菜が載せられるものであり、結露水が上野菜ケース２５または上野菜ケース４１から滴下した場合にはリブ間の溝内に貯められることで野菜が結露水で濡れることが抑えられる。
【００５６】
上記実施例１〜５においては、上野菜ケース２５の底板または上野菜ケース４１の底板を前後方向および左右方向の中央部が最も高所となるドーム状に形成し、底板の下面に底板の最高部を中心に放射状に延びる複数の溝を結露除去手段として形成しても良い。これら複数の溝は下面が開口するものであり、底板の下面の結露水を底板の外周部に向けて流す。この構成の場合には複数の溝のそれぞれの終端部に下へ突出する突部を設け、結露水を突部に沿って落下させると良い。
【００５７】
上記実施例１〜５においては、シャッター３２に換えてダンパを用いても良い。このダンパは軸を中心に回転可能なものであり、任意の回転角度に静止することに応じて開口部２２等の開放度を０％以上で１００％以下の範囲内で無段階に調整する。
【００５８】
上記実施例１〜５においては、調湿フィルタ５２に換えて調湿機能を備えた各種の湿度保持部材を利用することができる。要は水分を保持して湿度環境を向上または調整する手段であれば良い。例えば繊維を網目構造のシート状とし、２網目に水分を保持するものであっても良い。
【００５９】
上記実施例１〜５においては、下野菜ケース１４と上野菜ケース２５と上野菜ケース４１の少なくとも１つのうち野菜室４内への冷気の吹出し口に対向する部分に湿度保持部材を設けても良い。この場合には湿度保持部材の開放度を調整可能または調整不能としても良い。
【００６０】
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００６１】
１はキャビネット（箱体）、４は野菜室、１４は下野菜ケース（野菜ケース）、２２は開口部、２４は後室（収納空間）、２９は開口部、３２はシャッター（調整部材，スライド部材）、３４は収納空間、５２は調湿フィルタ（湿度保持部材）である。
【図１】
2017032247.tif 000003
【図２】
2017032247.tif 000004
【図３】
2017032247.tif 000005
【図４】
2017032247.tif 000006
【図５】
2017032247.tif 000007
【図６】
2017032247.tif 000008